(57)【特許請求の範囲】
【請求項１】
自動車の車体側に設けられた燃料タンク搭載用の中空部を有する固定枠を備え、該固定枠の内周面より中空部に突出した係止片を燃料タンクの外周に形成した係止溝に挿入係止して燃料タンクを固定枠に固定する一方、該固定枠のワイヤハーネス配索側の一部に上記係止片を設けていない部分を設け、燃料タンクの一側に設けた段状部との間にワイヤハーネス挿通路を形成し、該ワイヤハーネス挿通路にワイヤハーネスを通して、燃料タンク側のコネクタと上記ワイヤハーネスの端末のコネクタとを結合させており、上記ワイヤハーネス挿通路を通す部位のワイヤハーネスに取り付けているクランプであって、
上記ワイヤハーネスに長さ方向の両端がテープ巻き固定される長方形状の基板を備えた基板タイプまたはワイヤハーネスに締結固定するバンドタイプとし、該基板の中央部または上記バンド部の基部から一側方から突設される上下一対のバネ性を有する上側挟持片と下側挟持片を備え、該上側挟持片の中央の下面より第１凸部を突設すると共に、下側挟持片の上面先端より第２凸部を突設している一方、
上記燃料タンク搭載用の固定枠には、上面に上記第１凸部を嵌合する第１凹部、下面に上記第２凸部を嵌合する第２凹部を設けたクランプ係止部を設け、
上記上下挟持片で上記固定枠の上下面を挟み、第１凸部を第１凹部に、第２凸部を第２凹部に嵌合させて係止させる構成としていることを特徴とするクランプ。
【請求項２】
請求項１に記載のクランプを取り付けたワイヤハーネスの保持方法であって、
上記ワイヤハーネスを上記ワイヤハーネス挿通路に下方から上方へと通し、上記クランプを上記車体側の固定枠に形成した上記クランプ係止部に係止し、ワイヤハーネスを固定枠内に引き出した状態で保持し、この状態で上記ワイヤハーネス端末のコネクタと上記燃料タンク側のコネクタとを結合させ、コネクタ結合後に燃料タンクを上記固定枠の下方から上方へと引き上げ、燃料タンクの上記係止溝を上記固定枠の係止片に係止して燃料タンクを車体に搭載しているクランプを備えたワイヤハーネスの保持方法。
【発明の詳細な説明】
【０００１】
【発明の属する技術分野】
本発明は、ワイヤハーネスに取り付けるクランプおよび該クランプを備えたワイヤハーネスの保持方法に関し、詳しくは、自動車に搭載する燃料タンク側のコネクタと接続するワイヤハーネスが、燃料タンクの車体搭載時に噛み込みが発生してワイヤハーネスに損傷が発生するのを防止するために、ワイヤハーネスを車体側に保持するものである。
【０００２】
【従来の技術】
従来、自動車に搭載される燃料タンクのフューエルポンプに付設するコネクタと接続するワイヤハーネスをフロア下に配索し、燃料タンク搭載部位において、図６に示すように、車体Ｂの貫通穴Ｈを貫通させて引き出し、車体側に設けた燃料タンク用の固定枠１内の中空部２に下方から上方に引き上げて固定する燃料タンク３の上面より突設する電線群先端のコネクタＣ１と、上記ワイヤハーネスＷ／Ｈの端末のコネクタＣ２とを結合している。
【０００３】
上記ワイヤハーネスＷ／Ｈには羽根状係止部４ａを突設したクランプ４をテープ巻き或いはバンドでワイヤハーネスＷ／Ｈに固定しておき、車体Ｂの横断フレームＦに穿設した係止孔Ｆａに羽根状係止部４ａを挿入係止して、燃料タンク搭載部の近傍で位置決め保持している。
この状態で、ワイヤハーネスＷ／Ｈは、クランプ４により固定させた部位からコネクタＣ２の先端側までの部分（Ｘ）は単にぶら下がったフリーな状態とされ、このフリーな部分が、燃料タンク用の固定枠１の中空部２内に下方より上方へと引き出している。
【０００４】
ワイヤハーネスＷ／Ｈを上記のようにクランプ４で保持している状態で、燃料タンク用の固定枠１に中空部２内に下方より上方に引き上げた燃料タンク３の外周に設けた係止溝３ａを固定枠１の係止突起１ａを嵌合して燃料タンク３を固定枠１内に内嵌固定している。その後、燃料タンク３の上部でコネクタＣ１とワイヤハーネスＷ／ＨのコネクタＣ２とを結合している。
【０００５】
【発明が解決しようとする課題】
上記のように、燃料タンク３を固定枠１の中空部２内に下方より上方へと引き上げて固定する時に、ワイヤハーネスＷ／Ｈがフリーな状態で中空部２内を通して上方に引き出されているため、固定枠１に設けた凹部１ｂと燃料タンク３に設けた段状部３ｂとで構成されるワイヤハーネス挿通経路以外の部位にワイヤハーネスＷ／Ｈが位置する場合がある。
この場合には、図７に示すように、ワイヤハーネスＷ／Ｈが固定枠１と燃料タンク３との間に噛み込むこととなり、ワイヤハーネスＷ／Ｈに損傷を発生させる恐れががある。
【０００６】
本発明は問題に鑑みてなされたもので、ワイヤハーネスが固定枠と燃料タンクとの間に設けたワイヤハーネス挿通経路に位置決め保持し、燃料タンクの搭載時にワイヤハーネスに損傷を発生させないことを課題としている。
【０００７】
【課題を解決するための手段】
上記課題を解決するため、本発明は、第１に、自動車の車体側に設けられた燃料タンク搭載用の中空部を有する固定枠を備え、該固定枠の内周面より中空部に突出した係止片を燃料タンクの外周に形成した係止溝に挿入係止して燃料タンクを固定枠に固定する一方、該固定枠のワイヤハーネス配索側の一部に上記係止片を設けていない部分を設け、燃料タンクの一側に設けた段状部との間にワイヤハーネス挿通路を形成し、該ワイヤハーネス挿通路にワイヤハーネスを通して、燃料タンク側のコネクタと上記ワイヤハーネスの端末のコネクタとを結合させており、上記ワイヤハーネス挿通路を通す部位のワイヤハーネスに取り付けているクランプであって、
上記ワイヤハーネスに長さ方向の両端がテープ巻き固定される長方形状の基板を備えた基板タイプまたはワイヤハーネスに締結固定するバンドタイプとし、該基板の中央部または上記バンド部の基部から一側方から突設される上下一対のバネ性を有する上側挟持片と下側挟持片を備え、該上側挟持片の中央の下面より第１凸部を突設すると共に、下側挟持片の上面先端より第２凸部を突設している一方、
上記燃料タンク搭載用の固定枠には、上面に上記第１凸部を嵌合する第１凹部、下面に上記第２凸部を嵌合する第２凹部を設けたクランプ係止部を設け、
上記上下挟持片で上記固定枠の上下面を挟み、第１凸部を第１凹部に、第２凸部を第２凹部に嵌合させて係止させる構成としていることを特徴とするクランプを提供している。
【０００８】
上記クランプのワイヤハーネス固定側は基板タイプとし、該基板より上記上下一対の挟持片を突出させ、基板をワイヤハーネスにテープ巻き固定している。
なお、バンドタイプとして、バンド部の基部より上記上下一対の挟持片を突設し、バンドをワイヤハーネスに巻き付けて締め付け固定してもよい。
【０００９】
クランプの上下一対の挟持片には、上側挟持片の下面中央より凸部を突設すると共に、下側挟持片の上面先端より凸部を突設する一方、燃料タンク用固定枠の一部に設けるクランプ係止部には上下面に凹部を位相させて形成し、クランプの上下片で固定枠の上下面を挟み、凸部をそれぞれ凹部に嵌合させることにより、簡単にクランプを固定枠に係止することができる。また、該構成とすることにより、燃料タンクを固定枠に係止して固定し、コネクタ同士を結合した後、クランプを固定枠から取り外すことも簡単にできる。
【００１０】
本発明は第２に、第１の発明の上記クランプを用いてワイヤハーネスを保持する方法を提供している。該方法は、
上記ワイヤハーネスを上記ワイヤハーネス挿通路に下方から上方へと通し、上記クランプを上記車体側の固定枠に形成した上記クランプ係止部に係止し、ワイヤハーネスを固定枠内に引き出した状態で保持し、この状態で上記ワイヤハーネス端末のコネクタと上記燃料タンク側のコネクタとを結合させ、コネクタ結合後に燃料タンクを上記固定枠の下方から上方へと引き上げ、燃料タンクの上記係止溝を上記固定枠の係止片に係止して燃料タンクを車体に搭載している。
【００１１】
上記のように、クランプを用いて、固定枠のワイヤハーネス配索側の一部に上記係止片を設けていない部分を設け、燃料タンクの段部との間のワイヤハーネス挿通部位にワイヤハーネスを位置決め固定しておくと、燃料タンクを固定枠内に搭載する時にワイヤハーネスが固定枠と燃料タンクとの間に噛み込んでワイヤハーネスに損傷が発生することを確実に防止することができる。
なお、コネクタ結合後には、必要に応じて、クランプを固定枠より取り外してワイヤハーネスをフリーとすることも容易にできる。
【００１２】
【発明の実施の形態】
以下、本発明の実施形態を図面を参照して説明する。
実施形態のワイヤハーネスＷ／Ｈは前記図６に示す燃料タンク３側のコネクタＣ１に接続するコネクタＣ２を端末に接続したワイヤハーネスからなり、該ワイヤハーネスＷ／Ｈは図６と同様に自動車のフロア下部を燃料タンク３の搭載側へと配索しており、燃料タンク用の固定枠１０の中空部１１に下方より上方へと通す部位に、図１に示すクランプ１２を固定している。
【００１３】
クランプ１２は絶縁樹脂成形品からなり、長方形状の基板１２ａの中央部から一側方に、上下一対の挟持片１２ｂ、１２ｃを突設しており、これら挟持片１２ｂ、１２ｃにはバネ性を持たせている。
上記上側挟持片１２ｂには下面中央より第１凸部１２ｄを突設すると共に、下側挟持片１２ｃの上面先端より第２凸部１２ｅを突設している。
上記基板１２ａの長さ方向の両端をワイヤハーネスＷ／Ｈにテープ１４を用いて固定している。
【００１４】
燃料タンク用の固定枠１０は、燃料タンク３を内嵌する形状の中空部１５を有する矩形枠状で、該固定枠１０の内周面より係止片１１を突設し、燃料タンク３の外周に形成した係止溝３ａに係止片１１を挿入係止して、燃料タンク３を固定枠１０に取り付けるようにしている。
【００１５】
また、固定枠１０のワイヤハーネス配索側の一部に係止片１１を設けていない部分を設け、前記図７に示す燃料タンク３の一側に設けた段状部３ｂとの間にワイヤハーネス挿通路２０を形成し、ワイヤハーネスＷ／Ｈをワイヤハーネス挿通路２０を通して下方より上方へと引き出して、燃料タンク３側のコネクタＣ１とワイヤハーネスＷ／Ｈの端末のコネクタＣ２とを結合するようにしている。
【００１６】
上記係止片１１を設けていない部分の固定枠１０にクランプ係止部１０ａを設けている。該クランプ係止部１０ａは固定枠の上面に第１凹部１０ｂを設けると共に下面には第２凹部１０ｃを設け、該第２凹部１０ｃは第１凹部１０ｂより外周側に形成して位相させている。
【００１７】
上記ワイヤハーネスＷ／Ｈは、燃料タンク３を固定枠１０内に取り付ける前に固定枠１０の中空部１５内に下方から上方へと引き出し、該ワイヤハーネスＷ／Ｈに固定しているクランプ１２を中空部１５側から固定枠１０のクランプ係止部１０ａに係止して位置決め保持している。
即ち、クランプ１２の上下挟持片１２ｂと１２ｃで固定枠１０の上下面を挟み、第１凸部１２ｄを第１凹部１０ｂに、第２凸部１２ｅを第２凹部１０ｃに嵌合係止している。
【００１８】
このように、固定枠１０の内部に通すワイヤハーネスＷ／Ｈをクランプ１２を介してワイヤハーネス挿通路２０に当たる固定枠１０のクランプ係止部１０ａに保持しているため、ワイヤハーネスＷ／Ｈは従来のように先端側がフリーな状態ではなくなり、端末のコネクタＣ２は固定枠１０の中空部１５の上方に保持されている。
【００１９】
この状態で、固定枠１０の中空部１５の下方に燃料タンク３を配置し、燃料タンク３の上面より突出する電線群の先端のコネクタＣ１とワイヤハーネス端末のコネクタＣ２とを結合して、燃料タンク３を上方へと引き上げ、係止溝３ａに係止片１１を係止させて燃料タンク３を固定枠１０内に取り付けている。
【００２０】
上記のように、燃料タンク３を固定枠１０に取り付ける際に、ワイヤハーネスＷ／Ｈはフリーではなく、ワイヤハーネス挿通路２０に位置決め保持しているため、ワイヤハーネスＷ／Ｈが燃料タンク３と固定枠１０の係止片１１との間に噛み込むことはなく、ワイヤハーネスＷ／Ｈに損傷を発生させない。
【００２１】
図５はクランプの変形例を示し、基板１２より下側係止片１２ｃを一体的に突設し、上側係止片１２ｂをバネ１２ｇを介して下側係止片１２ｃと連結している。  このように上下係止片１２ｂ、１２ｃとをバネ１２ｇで連結して閉じ方向に付勢すると、固定枠との係止力を高めることができる。
【００２２】
【発明の効果】
以上の説明より明らかなように、本発明によれば、燃料タンクを囲む固定枠に係止するクランプをワイヤハーネスに予め取り付けて、ワイヤハーネスを固定枠と燃料タンクとの間のワイヤハーネス挿通部に位置決め保持しているため、燃料タンクを固定枠内に下方から上方へと移動させて取り付ける時に、ワイヤハーネスが燃料タンクと固定枠との間に噛み込んで、ワイヤハーネスに損傷が生じることを確実に防止できる。
【図面の簡単な説明】
【図１】  （Ａ）はクランプの斜視図、（Ｂ）は側面図、（Ｃ）はクランプをワイヤハーネスに固定した状態の斜視図である。
【図２】  （Ａ）は燃料タンク用の固定枠の斜視図、（Ｂ）は（Ａ）のＩ−Ｉ線断面図である。
【図３】  固定枠にクランプを係止している状態の断面図である。
【図４】  燃料タンクを固定枠に取り付ける作業を示す図面である。
【図５】  クランプの変形例を示す正面図である。
【図６】  （Ａ）は燃料タンクに接続するワイヤハーネスの配索状態を示す図面、（Ｂ）は（Ａ）のＢ矢視部の断面図である。
【図７】  従来の問題点を示す図面である。
【符号の説明】
３  燃料タンク
３ａ  係止溝
３ｂ  段状部
１０  固定枠
１０ａ  クランプ係止部
１０ｂ  第１凹部
１０ｃ  第２凹部
１２  クランプ
１２ｂ  上側係止片
１２ｃ  下側係止片
１２ｄ  第１凸部
１２ｅ  第２凸部
Ｗ／Ｈ  ワイヤハーネス
Ｃ１、Ｃ２  コネクタ
【図１】
0004238496.tif 000002
【図２】
0004238496.tif 000003
【図３】
0004238496.tif 000004
【図４】
0004238496.tif 000005
【図５】
0004238496.tif 000006
【図６】
0004238496.tif 000007
【図７】
0004238496.tif 000008